(57)【要約】本発明は、デジタル著作権管理に関し、さらに詳細には、ＤＲＭ変換システムにおいて、第３者にスーパー配布されたコンテンツに相応するライセンス要請により、前記ライセンスを前記第３者に提供する方法、及び前記方法を採用したＤＲＭ変換システムに関する。本発明の一実施例によるＤＲＭ変換システムの動作方法は、第１のＤＲＭ方式の第１のコンテンツ及び前記第１のコンテンツに相応する第１のライセンスをＤＲＭ変換し、第２のＤＲＭ方式の第２のコンテンツ及び前記第２のコンテンツに相応する第２のライセンスを生成する段階と、第３者にスーパー配布された(super-distributed)前記第２のコンテンツに相応するライセンス要請を受信する段階と、前記第２のＤＲＭに相応するサーバーにスーパー配布された前記第２のコンテンツに相応する第２のライセンスを要請する段階と、スーパー配布された前記第２のコンテンツに相応する第２のライセンスを受信し、前記第３者に伝送する段階とを含むことを特徴とする。【選択図】図３
2009527033.tif 000002
【特許請求の範囲】
【請求項１】
クライアント機器に、暗号化されたコンテンツに対応するライセンスを提供するＤＲＭ変換システムの動作方法であって、
第１のＤＲＭ方式の第１のコンテンツ及び前記第１のコンテンツに相応する第１のライセンスをＤＲＭ変換し、第２のＤＲＭ方式の第２のコンテンツ及び前記第２のコンテンツに相応する第２のライセンスを生成する段階と、
第３者にスーパー配布された(super-distributed)前記第２のコンテンツに相応するライセンス要請を受信する段階と、
前記第２のＤＲＭに相応するサーバーにスーパー配布された前記第２のコンテンツに相応する第２のライセンスを要請する段階と、
スーパー配布された前記第２のコンテンツに相応する第２のライセンスを受信し、前記第３者に伝送する段階と、
を含むことを特徴とする、ＤＲＭ変換システムの動作方法。
【請求項２】
前記ＤＲＭ変換システムは、ＤＲＭ変換ログをデータベースに記録することを特徴とする、請求項１に記載のＤＲＭ変換システムの動作方法。
【請求項３】
前記ＤＲＭ変換システムの動作方法は、
前記ライセンス要請による承認可否を、前記第１のＤＲＭに相応するサーバーに質疑する段階を含み、
前記第２のＤＲＭに相応するサーバーにスーパー配布された前記第２のコンテンツに相応する第２のライセンスを要請する段階は、
前記第１のＤＲＭに相応するサーバーから承認応答が受信された場合、前記第２のＤＲＭに相応するサーバーにスーパー配布された前記第２のコンテンツに相応する第２のライセンスを要請することを特徴とする、請求項２に記載のＤＲＭ変換システムの動作方法。
【請求項４】
前記ライセンス要請による承認可否を、前記第１のＤＲＭに相応するサーバーに質疑する段階は、
前記ＤＲＭ変換ログが記録されたデータベースを参照し、前記第１のＤＲＭに相応するサーバーを識別することを特徴とする、請求項３に記載のＤＲＭ変換システムの動作方法。
【請求項５】
前記ＤＲＭ変換システムの動作方法は、
前記第１のＤＲＭに相応するサーバーから承認応答が受信された場合、前記第３者によって課金された所定金額を割り当てられる段階をさらに含むことを特徴とする、請求項１に記載のＤＲＭ変換システムの動作方法。
【請求項６】
前記ＤＲＭ変換システムの動作方法は、
前記割り当てられた所定金額の一部を、前記第１のＤＲＭ方式に相応するサーバー、前記変換システム、及び前記第２のＤＲＭに相応するサーバーのいずれか一つ以上に対して提供することを特徴とする、請求項５に記載のＤＲＭ変換システムの動作方法。
【請求項７】
前記ＤＲＭ変換システムの一部は、ＤＲＭ変換クライアントに設けられることを特徴とする、請求項１に記載のＤＲＭ変換システムの動作方法。
【請求項８】
前記ＤＲＭ変換システムは、内部にサーバーを備えて、前記ＤＲＭ変換システム内部のサーバーが、スーパー配布された前記第２のコンテンツに相応する第２のライセンスを前記第２のＤＲＭに相応するサーバーに要請し、スーパー配布された前記第２のコンテンツに相応する第２のライセンスを受信して、前記第３者に伝送することを特徴とする、請求項２に記載のＤＲＭ変換システムの動作方法。
【請求項９】
前記第２のＤＲＭに相応するサーバーは、前記ＤＲＭ変換システム内部に構成されることを特徴とする、請求項２に記載のＤＲＭ変換システムの動作方法。
【請求項１０】
暗号化されたコンテンツを再生するクライアント機器の動作方法であって、
所定のＤＲＭ変換システムを通じて、第１のＤＲＭ方式から第２のＤＲＭ方式に変換されたコンテンツをソース機器から受信する段階と、
前記ＤＲＭ変換システムに、前記第２のＤＲＭ方式に変換されたコンテンツに対応するライセンスを要請する段階と、
前記ＤＲＭ変換システムを通じて、第２のＤＲＭ方式に相応するサーバーから前記変換されたコンテンツに対応するライセンスを受信する段階とを含むことを特徴とする、クライアント機器の動作方法。
【請求項１１】
前記クライアント機器の動作方法は、
前記ライセンス要請に対応する承認要請を、前記第１のＤＲＭ方式に相応するサーバーに伝送する段階をさらに含むことを特徴とする、請求項１０に記載のクライアント機器の動作方法。
【請求項１２】
前記変換されたコンテンツに対応するライセンスは、
前記第２のＤＲＭ方式に相応するサーバーから発給されたものであって、前記第２のＤＲＭ方式のコンテンツに対する復号化キーまたは/及び前記コンテンツに対する使用権限情報の一つ以上を含むことを特徴とする、請求項１０に記載のクライアント機器の動作方法。
【請求項１３】
前記クライアント機器の動作方法は、
前記変換されたコンテンツに対応するライセンスに対する代価として、前記第１のＤＲＭ方式に相応するサーバー、前記ＤＲＭ変換システム、及び前記第２のＤＲＭ方式に相応するサーバーのいずれか一つ以上に対して所定金額を支払う段階をさらに含むことを特徴とする、請求項１０に記載のクライアント機器の動作方法。
【請求項１４】
クライアント機器に、暗号化されたコンテンツに対応するライセンスを提供するＤＲＭ変換システムであって、
第１のＤＲＭ方式の第１のコンテンツ及び前記第１のコンテンツに相応する第１のライセンスをＤＲＭ変換し、第２のＤＲＭ方式の第２のコンテンツ及び前記第２のコンテンツに相応する第２のライセンスを生成するＤＲＭ変換部と、
第３者にスーパー配布された(super-distributed)前記第２のコンテンツに相応するライセンス要請を受信するライセンス要請受信部と、
前記第２のＤＲＭに相応するサーバーにスーパー配布された前記第２のコンテンツに相応する第２のライセンスを要請し、スーパー配布された前記第２のコンテンツに相応する第２のライセンスを受信して前記第３者に伝送するライセンス提供部と、を含むことを特徴とする、ＤＲＭ変換システム。
【請求項１５】
前記ＤＲＭ変換システムは、ＤＲＭ変換ログを記録する変換ログデータベースをさらに含むことを特徴とする、請求項１４に記載のＤＲＭ変換システム。
【請求項１６】
前記ＤＲＭ変換システムは、
前記ライセンス要請による承認可否を、前記第１のＤＲＭに相応するサーバーに質疑する承認質疑部をさらに含み、
前記ライセンス提供部は、前記第１のＤＲＭに相応するサーバーから承認応答が受信された場合、前記第２のＤＲＭに相応するサーバーにスーパー配布された前記第２のコンテンツに相応する第２のライセンスを要請することを特徴とする、請求項１５に記載のＤＲＭ変換システム。
【請求項１７】
前記承認質疑部は、
前記変換ログデータベースを参照し、前記第１のＤＲＭに相応するサーバーを識別することを特徴とする、請求項１６に記載のＤＲＭ変換システム。
【発明の詳細な説明】
【技術分野】
【０００１】
本発明は、デジタル著作権管理に関し、さらに詳細には、ＤＲＭ変換システムにおいて、第３者にスーパー配布されたコンテンツに相応するライセンス要請により、前記ライセンスを前記第３者に提供する方法、及び前記方法を採用したＤＲＭ変換システムに関する。
【背景技術】
【０００２】
コンピューター技術が発展し大衆化されるにつれて、アナログ形態で生産、保管、管理されていた一般商取引の著作物(図書、漫画、音盤、映画、放送、新聞など)が大部分デジタル化されている。
【０００３】
無限に繰り返し使用しても原本の品質には全く損傷を与えず(persistent high quality)、修正とコピーが便利で(easy to copy and modify)、超高速通信網を利用し、大容量の著作物でも短い時間内に伝送及び配布が可能である(easy to transfer and distribute)というデジタルの特性と長所が、アナログ形態の著作物を速い速度でデジタル化させているのである。
【０００４】
しかしながら、このようなデジタルの長所は、著作物に対する元著作者の権利と利益を侵害する要因とされている。コピー本を有していれば、それが原本と同一であるため、原本を購入しようとする意志を弱め、著作者の同意がなくても修正とコピーが簡単にできるため、著作物の盗用が容易になり、伝達と配布の容易性は、不法的な複製物がインターネットを通じてあっという間に広がり、法的な統制までも不能にするという短所がある。
【０００５】
このような否定的な要素は、著作者らの士気を低下させ、著作物に対する制作意志を低減させてしまい、ひいては、デジタル化をためらう原因として作用するようになる。したがって、デジタル著作物に対しては、デジタルの長所を十分に生かしながらも、著作権を効率的に管理できる技術的保護装置が必要である。
【０００６】
そこで、デジタル著作物に対する利益と権利を保護するために、デジタルコンテンツにＤＲＭ(Digital Rights Management)を適用する技術が出現し、また、様々なＤＲＭ方式が利用されている。
【０００７】
ＤＲＭとは、デジタルコンテンツの無断使用を防ぎ、著作権関連当事者らの利益と権利を保護する技術を称する。一般に、ＤＲＭ方式を利用してコンテンツを提供するサーバーは、コンテンツを暗号化して伝送し、正当な使用者にライセンスを伝送して、正当な使用者のみがコンテンツを再生出力できるようにする。前記ライセンスは、コンテンツの復号化に使用されるコンテンツ暗号化キー、及びコンテンツ利用情報に関する情報であるコンテンツ使用権限などを含む。
【０００８】
一方、従来技術によると、クライアント機器は、予め指定されたＤＲＭ方式によるコンテンツのみを再生出力する。また、同様に、コンテンツを提供するサーバーは、コンテンツに一つのＤＲＭ方式を適用してクライアント機器に提供する。
【０００９】
図１は、従来に技術により、クライアント機器にＤＲＭの適用されたコンテンツを提供する実施例を示した図面である。
【００１０】
クライアント機器１１０は、所定の通信網を通じて、第１のＤＲＭ方式に相応する第１のサーバー１２０と連結されて、第１のサーバー１２０は、コンテンツ提供サーバー及びライセンス発給サーバーを含んで構成できる。クライアント機器１１０において、前記第１のＤＲＭ方式に相応するコンテンツ提供サーバー１２０にコンテンツ提供要請を伝送すると、コンテンツ提供サーバー１２０は、第１のＤＲＭ方式により暗号化されたコンテンツをクライアント機器１１０に伝送する。これを使用するクライアント機器１１０では、前記暗号化されたコンテンツの著作権執行のために、前記第１のＤＲＭ方式に相応するライセンス発給サーバー１２０にライセンス要請を伝送し、ライセンス発給サーバー１２０からライセンスを発給してもらってからコンテンツを使用することができる。即ち、クライアント機器１１０は、前記ライセンスに含まれた復号化キーを利用して、暗号化されたコンテンツを復号化して再生出力する。
【００１１】
上記のように、従来技術の第１のサーバー１２０は、予め設定されたＤＲＭ方式により暗号化されたコンテンツのみを提供するため、異なる種類のＤＲＭ方式により暗号化されたコンテンツは提供できないという短所がある。
【００１２】
また、図１において、使用者がクライアント機器１１０を利用してコンテンツを再生してから、同一コンテンツを、第２のＤＲＭ方式を支援する第２のクライアント機器１３０を利用して再生しようとする場合、クライアント機器１１０から第２のクライアント機器１３０にコンテンツを伝送することはできるが、第２のクライアント機器１３０は、クライアント機器１１０と異なるＤＲＭ方式を支援するため、クライアント機器１１０から第２のクライアント機器１３０に伝送したコンテンツを再生することができないという短所がある。
【００１３】
このような問題点を解決するために、大韓民国公開特許第２００５−１２０５７９号には、相異なるＤＲＭ方式の装置間にコンテンツの搬入出を支援する構成が提示された。上記公開特許は、コンテンツのＤＲＭ方式を変換して、異なるＤＲＭ方式の装置間に使用できるという長所があるが、ＤＲＭ方式の変換されたコンテンツを第３者にスーパー配布する場合、第３者は、該当コンテンツに対するライセンスがないため、スーパー配布されたコンテンツを再生することができなかった。
【００１４】
したがって、ＤＲＭ方式の変換されたコンテンツを第３者にスーパー配布する場合でも、第３者がライセンスを獲得できる方案を備え、変換以前のＤＲＭに相応するサーバー側から該当ライセンスの提供に関与できるようにして、使用者らが自由にコンテンツをスーパー配布するようにすると同時に、適宜スーパー配布されるコンテンツのライセンスを制御できるＤＲＭ変換システムが切実に求められている。
【発明の開示】
【発明が解決しようとする課題】
【００１５】
本発明は、上述の従来技術の問題点を解決するために案出されたもので、ＤＲＭ変換システムでＤＲＭ変換されたコンテンツが第３者にスーパー配布されて、第３者から前記コンテンツに対応するライセンス要請を受信した場合、前記要請によって前記ライセンスを暗号化したＤＲＭ方式に相応するサーバーから前記ライセンスを受信し、前記第３者に提供するクライアント機器に、暗号化されたコンテンツに対応するライセンスを提供する方法、及び前記方法を採用したＤＲＭ変換システムを提供することをその目的とする。
【００１６】
また、本発明は、クライアント機器において、所定のＤＲＭ変換システムを通じてＤＲＭ変換されたコンテンツを第１のクライアント機器から受信し、前記ＤＲＭ変換システムに前記変換されたコンテンツに対応するライセンス(license)を要請し、前記要請により前記ＤＲＭ変換システムを通じて、前記ライセンスを暗号化したＤＲＭ方式に相応するサーバーから前記ライセンスを受信することをその目的とする。
【００１７】
また、本発明は、クライアント機器において、ＤＲＭ変換システムに前記変換されたコンテンツに対応するライセンスを要請する場合、前記コンテンツのＤＲＭ変換以前のＤＲＭ方式に相応するサーバーがライセンス要請事実を認識できるようにして、ＤＲＭ変換以前のＤＲＭ方式に相応するサーバーがライセンス要請に対する承認権限を有するようにして、適宜コンテンツのスーパー配布を制御することを目的とする。
【００１８】
また、本発明は、スーパー配布されたコンテンツに対するライセンスを要請する第３者が、該当ライセンスに相応する金額を支払うようにして、ＤＲＭ変換以前のＤＲＭ方式に相応するサーバー、ＤＲＭ変換システム、及びＤＲＭ変換以後のＤＲＭ方式に相応するサーバーのいずれか一つ以上が、支払われた金額を適宜分配することを目的とする。
【課題を解決するための手段】
【００１９】
上記の目的を達成し、上述の従来技術の問題点を解決するために、本発明の一実施例によるＤＲＭ変換システムの動作方法は、第１のＤＲＭ方式の第１のコンテンツ及び前記第１のコンテンツに相応する第１のライセンスをＤＲＭ変換し、第２のＤＲＭ方式の第２のコンテンツ及び前記第２のコンテンツに相応する第２のライセンスを生成する段階と、第３者にスーパー配布された(super-distributed)前記第２のコンテンツに相応するライセンス要請を受信する段階と、前記第２のＤＲＭに相応するサーバーにスーパー配布された前記第２のコンテンツに相応する第２のライセンスを要請する段階と、スーパー配布された前記第２のコンテンツに相応する第２のライセンスを受信し、前記第３者に伝送する段階とを含むことを特徴とする。
【００２０】
また、本発明の他の実施例によるクライアント機器の動作方法は、所定のＤＲＭ変換システムを通じて、第１のＤＲＭ方式から第２のＤＲＭ方式に変換されたコンテンツをソース機器から受信する段階と、前記ＤＲＭ変換システムに、前記第２のＤＲＭ方式に変換されたコンテンツに対応するライセンスを要請する段階と、前記ＤＲＭ変換システムを通じて、第２のＤＲＭ方式に相応するサーバーから前記変換されたコンテンツに対応するライセンスを受信する段階とを含むことを特徴とする。
【００２１】
また、本発明のまた他の実施例によるＤＲＭ変換システムは、第１のＤＲＭ方式の第１のコンテンツ及び前記第１のコンテンツに相応する第１のライセンスをＤＲＭ変換し、第２のＤＲＭ方式の第２のコンテンツ及び前記第２のコンテンツに相応する第２のライセンスを生成するＤＲＭ変換部と、第３者にスーパー配布された(super-distributed)前記第２のコンテンツに相応するライセンス要請を受信するライセンス要請受信部と、前記第２のＤＲＭに相応するサーバーにスーパー配布された前記第２のコンテンツに相応する第２のライセンスを要請し、スーパー配布された前記第２のコンテンツに相応する第２のライセンスを受信して前記第３者に伝送するライセンス提供部とを含むことを特徴とする。
【発明の効果】
【００２２】
本発明によるＤＲＭ変換システムでＤＲＭ変換されたコンテンツが第３者にスーパー配布されて、第３者から前記コンテンツに対応するライセンス要請を受信した場合、前記要請によって前記ライセンスを暗号化したＤＲＭ方式に相応するサーバーから前記ライセンスを受信し、前記第３者に提供することができる。
【００２３】
また、本発明によると、クライアント機器において、所定のＤＲＭ変換システムを通じてＤＲＭ変換されたコンテンツを第１のクライアント機器から受信し、前記ＤＲＭ変換システムに前記変換されたコンテンツに対応するライセンス(license)を要請し、前記要請により前記ＤＲＭ変換システムを通じて、前記ライセンスを暗号化したＤＲＭ方式に相応するサーバーから前記ライセンスを受信することができる。
【００２４】
また、本発明によると、クライアント機器において、ＤＲＭ変換システムに前記変換されたコンテンツに対応するライセンスを要請する場合、前記コンテンツのＤＲＭ変換以前のＤＲＭ方式に相応するサーバーがライセンス要請事実を認識できるようにして、ＤＲＭ変換以前のＤＲＭ方式に相応するサーバーがライセンス要請に対する承認権限を有するようにして、適宜コンテンツのスーパー配布を制御することができる。
【００２５】
また、本発明によると、スーパー配布されたコンテンツに対するライセンスを要請する第３者が、該当ライセンスに相応する金額を支払うようにして、ＤＲＭ変換以前のＤＲＭ方式に相応するサーバー、ＤＲＭ変換システム、及びＤＲＭ変換以後のＤＲＭ方式に相応するサーバーのいずれか一つ以上が、支払われた金額を適宜分配することができる。
【発明を実施するための最良の形態】
【００２６】
以下、本発明で説明する第１のサーバーは、第１のＤＲＭに相応するサーバーであり、第２のサーバーは、第２のＤＲＭに相応するサーバーである。
【００２７】
以下、添付の図面を参照し、本発明による、クライアント機器に暗号化されたコンテンツに対応するライセンスを提供する方法、及び前記方法を採用したＤＲＭ変換システムについて詳細に説明する。
【００２８】
図２は、本発明の一実施例によるＤＲＭ変換システムのネットワーク連結関係を概略的に示した図面である。
【００２９】
図２において、第１のクライアント機器２０２は、第１のＤＲＭ方式を支援し、第２のクライアント機器２０５及び第３のクライアント機器２０６は、第２のＤＲＭ方式を支援するとする。
【００３０】
図２に示したように、第１のクライアント機器２０２は、第１のサーバー２０１から第１のＤＲＭ方式の第１のコンテンツ及び前記第１のコンテンツに対応する第２のライセンスを提供してもらい、前記第１のコンテンツを再生する。この際、第１のサーバー２０１は、第１のＤＲＭ方式のコンテンツ及びライセンスを提供するサーバーといえる。
【００３１】
第１のクライアント機器２０２の使用者が、自分の第２のクライアント機器２０５で前記第１のコンテンツを再生しようとする場合、ＤＲＭ変換システム２０３は、前記第１のＤＲＭ方式の第１のコンテンツ及び前記第１のコンテンツに相応する第１のライセンスをＤＲＭ変換して、第２のＤＲＭ方式の第２のコンテンツ及び前記第２のコンテンツに相応する第２のライセンスを生成する。本実施例によると、第１のクライアント機器２０２及び第２のクライアント機器２０５は、相異なるＤＲＭ方式を支援する。例えば、第１のＤＲＭ方式は、ＭＳ−ＤＲＭで、第２のＤＲＭ方式は、ＯＭＡ−ＤＲＭである。
【００３２】
ＤＲＭ変換は、第１のＤＲＭ方式の第１のコンテンツ及び第１のライセンスを中間フォーマットに変換した後、中間フォーマットを再び第２のＤＲＭ方式の第２のコンテンツ及び第２のライセンスに変換する。ＤＲＭ変換に対する詳細な内容は、大韓民国公開特許第２００５−１２０５７９号に詳細に開示されている。
【００３３】
一方、第２のクライアント機器２０５から第３者の第３のクライアント機器２０６に前記変換されたコンテンツをスーパー配布(Super distribution)した場合、第３のクライアント機器２０６は、前記コンテンツの使用のために、ＤＲＭ変換システム２０３に、前記第２のコンテンツに相応するライセンス要請を伝送する。ＤＲＭ変換システム２０３は、前記ライセンス要請を受信し、前記要請により、第１のサーバー２０１の承認があった場合、第２のサーバー２０４から第３のクライアント機器２０６にスーパー配布された前記第２のコンテンツに対応する第２のライセンスを受信し、第３のクライアント機器２０６に伝送する。本実施例によると、第２のクライアント機器２０５及び第３のクライアント機器２０６は、同一なＤＲＭ方式を支援する。
【００３４】
ここで、スーパー配布(Super distribution)とは、コンテンツとライセンスを分離して配布することで、スーパー配布によると、使用者は、自分が利用していたコンテンツを第３者に配布することができて、コンテンツを配布してもらった第３者は、コンテンツとは別にライセンスを獲得して、配布されたコンテンツを使用することができる。
【００３５】
この際、ライセンスを要請する第３のクライアント機器２０６が、ライセンス要請と共に、第１のサーバー２０１に承認要請をすることもでき、ＤＲＭ変換システム２０３が第３のクライアント機器２０６からライセンス要請を受信した場合、第１のサーバー２０１に該当コンテンツに対するライセンス発給承認要請をすることもできる。
【００３６】
ＤＲＭ変換システム２０３が第３のクライアント機器２０６からライセンス要請を受信した場合に、第１のサーバー２０１に該当コンテンツに対するライセンス発給承認要請をする場合、ＤＲＭ変換サーバーは、変換ログデータベースを参照し、ライセンスを要請したコンテンツの変換前のＤＲＭ方式に相応する第１のサーバー２０１を識別することができる。
【００３７】
即ち、ＤＲＭ変換システム２０３は、ＤＲＭ変換時毎に、ＤＲＭ変換に関するログを変換ログデータベースに記録して、特定コンテンツに対するライセンス要請が受信されると、変換ログデータベースを参照し、該当コンテンツの変換前のＤＲＭに相応するＤＲＭサーバーを識別することができる。
【００３８】
ＤＲＭ変換システム２０３は、ＤＲＭ変換サーバー及びＤＲＭ変換クライアントから構成され得る。即ち、ＤＲＭ変換システム２０３の一部構成は、ＤＲＭ変換サーバーに備えられて、その他の構成は、ＤＲＭ変換クライアントに備えられ得る。
【００３９】
実施例によって、ＤＲＭ変換システム２０３は、ＤＲＭ変換クライアント無しに、ＤＲＭ変換サーバーのみで構成できる。この際、ＤＲＭ変換システム２０３の全ての機能は、ＤＲＭ変換サーバーで行うことになる。
【００４０】
本発明のクライアント機器２０２、２０５、２０６は、それぞれＰＣ、ＰＤＡ(Personal Digital Assistant)、スマートフォーン(Smart phone)、ハンドヘルド(handheld)ＰＣ、携帯電話、ＭＰ３プレーヤーなどのように、ＣＤＭＡ(Code Division Multiplexing Access)モジュール、ブルートゥースモジュール、赤外線通信モジュール(IrDA)、有無線ランカードのような所定の通信モジュールを備えることができ、マルチメディア再生機能を行う所定のマイクロプロセッサーを搭載することにより、所定の演算能力を備えた端末を称する概念である。
【００４１】
図３は、本発明の一実施例によるＤＲＭ変換システムの動作方法を示したフローチャートである。
【００４２】
段階３０１において、ＤＲＭ変換システムは、第１のＤＲＭ方式の第１のコンテンツ及び前記第１のコンテンツに相応する第１のライセンスをＤＲＭ変換して、第２のＤＲＭ方式の第２のコンテンツ及び前記第２のコンテンツに相応する第２のライセンスを生成する。一例として、前記ＤＲＭ変換システムは、’ＤＲＭ１’方式のオーディオコンテンツ「ｌｏｖｅｄ」及び前記オーディオコンテンツ「ｌｏｖｅｄ」に対応する前記第１のライセンスをＤＲＭ変換して、’ＤＲＭ２’方式のオーディオコンテンツ「ｌｏｖｅｄ」及び前記オーディオコンテンツ「ｌｏｖｅｄ」に対応する第２のライセンスを生成することができる。
【００４３】
本発明の一実施例によると、前記ＤＲＭ変換システムは、ＤＲＭ変換ログをデータベースに記録することができる。一例として、前記ＤＲＭ変換ログは、前記第１のコンテンツ及び前記第１のコンテンツに対応する第１のライセンスのＤＲＭ変換によるＤＲＭ変換情報、または前記第１のコンテンツに対するライセンスを発給したサーバー情報などを記録することができる。
【００４４】
また、本発明の他の実施例によると、前記ＤＲＭ変換システムの一部は、クライアント端末に設けられる。
【００４５】
段階３０２において、前記ＤＲＭ変換システムは、第３者にスーパー配布された前記第２のコンテンツに相応するライセンス要請を受信する。即ち、本発明によると、前記第３者は、前記第２のコンテンツを提供したクライアント機器から前記第２のコンテンツのみを受信するため(super distribution)、前記ＤＲＭ変換システムに、前記第２のコンテンツに相応するライセンスを要請するのである。
【００４６】
この場合、変換以前のＤＲＭ方式に相応するサーバーを排除して、配布された第２のコンテンツに相応する第２のライセンスを発給するようになると、事実上、コンテンツソースを無視する結果となって、非常に不適である。
【００４７】
段階３０３において、前記ＤＲＭ変換システムは、前記ライセンス要請による承認可否を前記第１のサーバーに質疑する。即ち、前記ライセンスは、前記第１のＤＲＭ方式の第１のコンテンツに対応する第１のライセンスを変換して生成されたもので、前記第１のライセンスは、前記第１のサーバーから発給されたものであるため、前記ＤＲＭ変換システムは、前記ライセンス要請による承認可否を第１のサーバーに質疑するのである。また、前記ＤＲＭ変換システムは、前記ＤＲＭ変換ログの記録されたデータベースを参照し、前記第１のサーバーを識別することができる。
【００４８】
実施例によって、ＤＲＭ変換システムがライセンス要請による承認可否を第１のサーバーに質疑せず、第３者側から、ライセンス要請と共に、第１のサーバーに承認要請をすることもできる。この際、ＤＲＭ変換システムは、第３者側に変換前のＤＲＭ方式に相応する第１のサーバー情報を提供することができる。
【００４９】
前記第１のサーバーから承認応答が受信された場合(段階３０４)、段階３０５において、前記ＤＲＭ変換システムは、前記第２のサーバーから前記第３者にスーパー配布された前記第２のコンテンツに対応する第２のライセンスを要請する。
【００５０】
段階３０６において、前記ＤＲＭ変換システムは、前記第２のサーバーからスーパー配布された前記第２のコンテンツに相応する前記第２のライセンスを受信して、前記第３者側に伝送する。
【００５１】
本発明の一実施例によると、前記ＤＲＭ変換システムは、前記第１のサーバーから承認応答が受信された場合、前記第１のサーバーから前記第３者により課金された所定金額を割り当てられる。また、前記ＤＲＭ変換システムは、前記割り当てられた所定金額の一部を前記第２のサーバーに提供することができる。
【００５２】
図４は、本発明の一実施例によるクライアント機器の動作方法を示したフローチャートである。
【００５３】
段階４０１において、クライアント機器は、所定のＤＲＭ変換システムを通じて、第１のＤＲＭ方式から第２のＤＲＭ方式に変換されたコンテンツをソース機器から受信する。一例として、前記ソース機器は、前記ＤＲＭシステムを通じて’ＤＲＭ１’方式から’ＤＲＭ２’方式に変換された音楽コンテンツ「ｌｏｖｅｄ」を、第３者の前記クライアント機器にスーパー配布(super distribution)して、前記クライアント機器は、前記’ＤＲＭ２’方式に変換された音楽コンテンツ「ｌｏｖｅｄ」を受信することができる。
【００５４】
段階４０２において、前記クライアント機器は、前記ＤＲＭ変換システムに、前記第２のＤＲＭ方式に変換されたコンテンツに対応するライセンスを要請する。
【００５５】
本発明の一実施例によると、前記クライアント機器は、前記ライセンス要請に対応する承認要請を前記第１のサーバーに伝送することができる。また、前記ＤＲＭ変換システムから、前記ライセンス要請に対応するライセンス発給承認要請を前記第１のサーバーに伝送することもできる。
【００５６】
段階４０３において、前記ＤＲＭ変換システムは、前記第２のＤＲＭ方式に変換されたコンテンツに対応するライセンス要請を受信する。
【００５７】
段階４０４において、前記ＤＲＭ変換システムは、第１のＤＲＭ方式に相応する第１のサーバーから承認応答があった場合、第２のサーバーに前記コンテンツに対するライセンス要請を伝送する。
【００５８】
段階４０５において、前記ＤＲＭ変換システムは、前記第２のサーバーから前記コンテンツに対するライセンスを受信する。
【００５９】
段階４０６において、前記ＤＲＭ変換システムは、前記受信されたライセンスを前記クライアント機器に伝送する。
【００６０】
段階４０７において、前記クライアント機器は、前記ＤＲＭ変換システムを通じて、第２のサーバーから前記変換されたコンテンツに対応するライセンスを受信する。
【００６１】
実施例によって、前記クライアント機器は、変換されたコンテンツに対応するライセンスに対する代価として、前記第１のＤＲＭ方式に相応するサーバー、前記ＤＲＭ変換システム、及び前記第２のＤＲＭ方式に相応するサーバーのいずれか一つ以上に対して所定金額を支払うことができる。この際、前記第１のＤＲＭ方式に相応するサーバー、前記ＤＲＭ変換システム、及び前記第２のＤＲＭ方式に相応するサーバーのいずれか一つが、クライアント機器側から所定金額を支払われて、支払われたサーバー(またはシステム)が他のサーバー(またはシステム)に一定金額を割り当てることもできる。
【００６２】
本発明の一実施例によると、前記変換されたコンテンツに対応するライセンスは、前記第２のＤＲＭ方式に相応するサーバーから発給されたもので、前記第２のＤＲＭ方式のコンテンツに対する復号化キーまたは/及び前記コンテンツに対する使用権限情報の一つ以上を含むことができる。
【００６３】
図５は、本発明の一実施例によるＤＲＭ変換システムの内部構成を示したブロック図である。
【００６４】
図５に示されたように、ＤＲＭ変換システム５００は、ＤＲＭ変換部５０１、変換ログデータベース５０２、ライセンス要請受信部５０３、承認質疑部５０４、ライセンス提供部５０５を含む。本発明の一実施例によると、ＤＲＭ変換システム５００の一部は、クライアント端末に設けられる。
【００６５】
ＤＲＭ変換部５０１は、第１のＤＲＭ方式の第１のコンテンツ及び前記第１のコンテンツに相応する第１のライセンスをＤＲＭ変換して、第２のＤＲＭ方式の第２のコンテンツ及び前記第２のコンテンツに相応する第２のライセンスを生成する。
【００６６】
本発明の一実施例によると、ＤＲＭ変換部５０１は、前記ＤＲＭ変換によるＤＲＭ変換ログを変換ログデータベース５０２に記録することができる。
【００６７】
ライセンス要請受信部５０３は、第３者にスーパー配布された前記第２のコンテンツに相応するライセンス要請を受信する。
【００６８】
本発明の一実施例によると、承認質疑部５０４は、前記ライセンス要請による承認可否を、変換前のＤＲＭ方式に相応する前記第１のサーバーに質疑する。また、承認質疑部５０４は、前記ＤＲＭ変換ログの記録された変換ログデータベースを参照し、前記第１のサーバーを識別することができる。
【００６９】
ライセンス提供部５０５は、前記第１のサーバーから承認応答が受信された場合、前記第２のサーバーに、前記第３者にスーパー配布された前記第２のコンテンツに相応する第２のライセンスを要請し、スーパー配布された前記第２のコンテンツに相応する第２のライセンスを受信して、前記第３者に伝送する。
【００７０】
本発明によるＤＲＭ変換システムの動作方法及びクライアント機器の動作方法は、多様なコンピューター手段を通じて行われ得るプログラム命令形態に具現され、コンピューター読み取り可能媒体に記録される。前記コンピューター読み取り可能媒体は、プログラム命令、データファイル、データ構造などを、単独または組み合せて含むことができる。前記媒体に記録されるプログラム命令は、本発明のために特別に設計されて構成されたものであるか、コンピューターソフトウェア当業者に公知されて使用可能なものである。コンピューター読み取り可能記録媒体の例としては、ハードディスク、フロッピー（登録商標）ディスク、及び磁気テープのような磁気媒体(magnetic media)、ＣＤ−ＲＯＭ、ＤＶＤのような光記録媒体(optical media)、フロプティカルディスク(floptical disk)のような磁気−光媒体(magneto-optical media)、及びロム(ROM)、ラム(RAM)、フラッシュメモリーなどのような、プログラム命令を貯蔵して行うよう特別に構成されたハードウェア装置が含まれる。また、前記媒体は、プログラム命令、データ構造などを指定する信号を伝送する搬送波を含む、光または金属線、導波管などの伝送媒体を含む。プログラム命令の例としては、コンパイラにより作られるような機械語コードだけではなく、インタープリターなどを使用して、コンピューターにより実行できる高級言語コードを含む。前記のハードウェア装置は、本発明の動作を行うために、一つ以上のソフトウェアモジュールとして作動するように構成でき、その逆も同様である。
【００７１】
図６は、本発明によるＤＲＭ変換システムの動作方法及びクライアント機器の動作方法を行うに採用できる汎用コンピューター装置の内部ブロック図である。
【００７２】
コンピューター装置６００は、ラム(RAM：Random Access Memory)６２０とロム(ROM：Read Only Memory)６３０を含む主記憶装置と連結される一つ以上のプロセッサー６１０を含む。プロセッサー６１０は、中央処理装置ＣＰＵとも呼ばれる。本技術分野で広く知られているように、ロム６３０は、データ(data)と命令(instruction)を単方向性にＣＰＵに伝送する役割をして、ラム６２０は、通常的にデータと命令を両方向性に伝送するに使用される。ラム６２０及びロム６３０は、コンピューター読み取り可能媒体のどれか適切な形態を含むことができる。大容量記憶装置(Mass Storage)６４０は、両方向性にプロセッサー６１０と連結されて、追加的なデータ貯蔵能力を提供し、上記のコンピューター読み取り可能記録媒体のいずれかであってよい。大容量記憶装置６４０は、プログラム、データなどを貯蔵するに使用されて、通常、主記憶装置より速度の遅いハードディスクのような補助記憶装置である。ＣＤロム６６０のような特定大容量記憶装置が使用されることもある。プロセッサー６１０は、ビデオモニター、トラックボール、マウス、キーボード、マイクロフォーン、タッチスクリーン型ディスプレイ、カード読み取り機、磁気または紙テープ読み取り機、音声または書き込み認識機、ジョイスティック、またはその他の公知のコンピューター入出力装置のような、一つ以上の入出力インターフェース６５０と連結される。最後に、プロセッサー６１０は、ネットワークインターフェース６７０を通じて、有線または無線通信ネットワークに連結できる。このようなネットワーク連結を通じて、上記の方法の手順を行うことができる。上記の装置及び道具は、コンピューターハードウェア及びソフトウェア技術分野の当業者によく知られている。一方、上記のハードウェア装置は、本発明の動作を行うために、一つ以上のソフトウェアモジュールとして作動するように構成することができる。
【００７３】
以上、本発明を特定の実施例を挙げて説明したが、本発明は、これらの実施例に限定されるものではなく、本発明の属する技術分野で通常の知識を有する者が、特許請求の範囲に記載の本発明の技術的思想を外れない範囲内で多様に変更、実施することができる。
【図面の簡単な説明】
【００７４】
【図１】従来技術により、クライアント機器にＤＲＭの適用されたコンテンツを提供する実施例を示した図面である。
【図２】本発明の一実施例によるＤＲＭ変換システムのネットワーク連結関係を概略的に示した図面である。
【図３】本発明の一実施例によるＤＲＭ変換システムの動作方法を示したフローチャートである。
【図４】本発明の一実施例によるクライアント機器の動作方法を示したフローチャートである。
【図５】本発明の一実施例によるＤＲＭ変換システムの内部構成を示したブロック図である。
【図６】本発明のよるＤＲＭ変換システムの動作方法及びクライアント機器の動作方法及びクライアント機器の動作方法を行うに採用できる汎用コンピューター装置の内部ブロック図である。
【図１】
2009527033.tif 000003
【図２】
2009527033.tif 000004
【図３】
2009527033.tif 000005
【図４】
2009527033.tif 000006
【図５】
2009527033.tif 000007
【図６】
2009527033.tif 000008
【国際調査報告】
2009527033.tif 000009
2009527033.tif 000010